(57)【特許請求の範囲】
【請求項１】
電気コネクタ筐体であって、
前後方向を規定する前後方向軸、左右方向を規定する左右方向軸、および上下方向を規定する上下方向軸に沿って、かつそれらの周囲に延びる筐体本体であって、
前記前後方向軸、前記左右方向軸、および前記上下方向軸は、交点において互いに垂直に交差してデカルト座標系を形成し、
前記筐体本体は、
前記前後方向および左右方向に延びて上側壁平面を規定する上側壁と、
前記前後方向および前記左右方向に延び、前記上側壁平面に平行して延びる底側壁平面を規定する底側壁と、
前記前後方向および前記上下方向に延び、互いに離れて配置され、かつ前記上側壁および前記底側壁を相互接続して、前方面と、前記前方面と対向する後方面と、前記前方面と前記後方面との間の前記筐体本体を介して前記前後方向に延びる通路とを形成する、対の側壁と、
を備える、筐体本体と、
第１のリブ部材および第２のリブ部材であって、前記第１および第２のリブ部材の各々１つは、前記筐体本体の外側で、前記対の側壁の各々１つに連結され、かつ前記前後方向に延び、前記第１および第２のリブ部材は前記上側壁平面と前記底側壁平面との間に配置されている、第１のリブ部材および第２のリブ部材と
を備え、
前記第１および第２のリブ部材の各々１つは、横断面視が方形の形状を有するリブ要素と、アイレット穴が形成されアイレット穴により貫通されたアイレット要素とを備え、
各々のリブ要素は、前記前方面のところにある、または、前記前方面から後退したところにある開始位置にて開始し、長手方向が前記後方面に向かって延び、かつ前記アイレット要素にて終端し、
前記第１および第２のリブ部材のうちの１つの前記アイレット要素は、対の側壁の１つに一体的に連結され、前記後方面に隣接し、かつ前記後方面から後退して配置され、
前記第１および第２のリブ部材のうちの残りの１つの前記アイレット要素は、対の側壁の残りの１つに一体的に連結され、前記前方面に隣接し、かつ前記前方面から後退して配置され、
前記リブ部材、及び対の側壁の各々１つから離れる左右方向に突出する前記リブ部材にその全体が一体的に連結された前記アイレット要素の各々１つは、前記長手方向且つ左右方向に延びる共通の平面において延びており、前記アイレット要素のアイレット穴の各々１つは上下方向に延びるように、前記リブ部材の各々１つは、前記アイレット要素の各々１つ及び前記対の側壁の各々１つにその全体が一体的に連結されている、電気コネクタ筐体。
【請求項２】
前記リブ要素の各々１つは、正面から見た場合に、方形の形状を有するバーである、請求項１に記載の電気コネクタ筐体。
【請求項３】
前記アイレット要素の各々１つは、Ｕ字状のアイレット部分、および前記Ｕ字状のアイレット部分に一体的に連結されているボックス状のアイレット部分を有し、前記ボックス状のアイレット部分の各々１つは、前記対の側壁の各々１つに連結されている、請求項１に記載の電気コネクタ筐体。
【請求項４】
前記アイレット要素の各々１つは、上下方向に沿って見た場合、アイレット要素の厚さを有し、前記リブ要素の各々１つは、前記上下方向に沿って見た場合、リブ要素の厚さを有する、請求項３に記載の電気コネクタ筐体。
【請求項５】
前記アイレット要素の厚さおよび前記リブ要素の厚さは、互いに等しいか、または、前記アイレット要素の厚さが前記リブ要素の厚さよりも厚いかのいずれかである、請求項４に記載の電気コネクタ筐体。
【請求項６】
前記アイレット要素の各々１つは、前記アイレット要素を介して前記上下方向に延びるアイレット穴を有する、請求項１に記載の電気コネクタ筐体。
【請求項７】
前記前方面に隣接し、かつ前記前方面から後退して配置される前記第１および第２のリブ部材のうちの残りの１つは、第１部分のリブ要素および第２部分のリブ要素を有し、前記アイレット要素は、前記第１部分のリブ要素と前記第２部分のリブ要素との間に配置され、かつそれらに一体的に連結される、請求項１に記載の電気コネクタ筐体。
【請求項８】
前記第１部分のリブ要素は前記前方面に隣接して配置され、前記第２部分のリブ要素は前記後方面に隣接して配置され、前記第１部分のリブ要素は、前記第２部分のリブ要素よりも短い、請求項７に記載の電気コネクタ筐体。
【請求項９】
前記第１および第２のリブ要素の各々１つは、共通のリブ部材平面において配置された平底リブ部材表面を有し、前記共通のリブ部材平面は、前記上側壁平面と前記底側壁平面との間に延び、かつそれらと平行して延びる、請求項１に記載の電気コネクタ筐体。
【請求項１０】
前記共通のリブ部材平面は、前記上側壁平面よりも、前記底側壁平面に対してより接近して配置される、請求項９に記載の電気コネクタ筐体。
【請求項１１】
前記筐体本体の外側に配置される対の蓋支持部材をさらに備え、前記対の蓋支持部材の各々１つは、前記前後方向に延び、かつ前記対の側壁の各々１つから離れる前記左右方向に突出するようにして、前記対の側壁の各々１つに連結される、請求項１に記載の電気コネクタ筐体。
【請求項１２】
前記対の蓋支持部材の各々１つは、前記前方表面と前記後方表面とから延び、かつそれらの間に延びる、請求項１１に記載の電気コネクタ筐体。
【請求項１３】
前記対の蓋支持部材の各々１つは、共通の蓋支持部材平面に配置された平底蓋支持部材表面を有し、前記共通の蓋支持部材平面は、前記上側壁平面と前記底側壁平面との間に延び、かつそれらと平行して延びる、請求項１に記載の電気コネクタ筐体。
【請求項１４】
前記共通の蓋支持部材平面は、前記底側壁平面よりも、前記上側壁平面に対してより接近して配置される、請求項１３に記載の電気コネクタ筐体。
【請求項１５】
電気コネクタであって、
端子搭載ブロックおよび前記端子搭載ブロックに搭載される少なくとも１つの端子を備える端子アセンブリと、
前後方向を規定する前後方向軸、左右方向を規定する左右方向軸、および上下方向を規定する上下方向軸に沿って、かつそれらの周囲に延びる筐体であって、
前記前後方向軸、前記左右方向軸、および前記上下方向軸は、交点において互いに垂直に交差してデカルト座標系を形成し、
前記筐体は、前記端子アセンブリを取り囲み、かつ前記端子搭載ブロックに連結され、前記筐体および連結された前記端子搭載ブロックは、空洞を規定し、前記少なくとも１つの端子が前記端子搭載ブロックから前記空洞に突出し、
前記筐体は、
前記前後方向および左右方向に延びて上側壁平面を規定する上側壁と、
前記前後方向および前記左右方向に延び、前記上側壁平面に平行して延びる底側壁平面を規定する底側壁と、
前記前後方向および前記上下方向に延び、互いに離れて配置され、かつ前記上側壁および前記底側壁を相互接続して、前方面と、前記前方面と対向する後方面とを形成する、対の側壁と、
を備え、前記空洞は、前記前方面から前記後方面に向かって、前記筐体内へと前記前後方向に延びる、筐体と、
第１のリブ部材および第２のリブ部材であって、前記第１および第２のリブ部材の各々１つは、前記筐体の外側で、前記対の側壁の各々１つに連結され、かつ前記前後方向に延び、前記第１および第２のリブ部材は前記上側壁平面と前記底側壁平面との間に配置されている、第１のリブ部材および第２のリブ部材と
を備え、
前記第１および第２のリブ部材の各々１つは、横断面視が方形の形状を有するリブ要素と、アイレット穴が形成されアイレット穴により貫通されたアイレット要素とを備え、
各々のリブ要素は、前記前方面のところにある、または、前記前方面から後退したところにある開始位置にて開始し、長手方向が前記後方面に向かって延び、かつ前記アイレット要素にて終端し、
前記第１および第２のリブ部材のうちの１つの前記アイレット要素は、対の側壁の１つに一体的に連結され、前記後方面に隣接し、かつ前記後方面から後退して配置され、
前記第１および第２のリブ部材のうちの残りの１つの前記アイレット要素は、対の側壁の残りの１つに一体的に連結され、前記前方面に隣接し、かつ前記前方面から後退して配置され、
前記リブ部材、及び対の側壁の各々１つから離れる左右方向に突出する前記リブ部材にその全体が一体的に連結された前記アイレット要素の各々１つは、前記長手方向且つ左右方向に延びる共通の平面において延びており、前記アイレット要素のアイレット穴の各々１つは上下方向に延びるように、前記リブ部材の各々１つは、前記アイレット要素の各々１つ及び前記対の側壁の各々１つにその全体が一体的に連結されている、電気コネクタ。
【請求項１６】
前記リブ要素の各々１つは、正面から見た場合に、方形の形状を有するバーである、請求項１５に記載の電気コネクタ。
【請求項１７】
前記アイレット要素の各々１つは、Ｕ字状のアイレット部分、および前記Ｕ字状のアイレット部分に一体的に連結されているボックス状のアイレット部分を有し、前記ボックス状のアイレット部分の各々１つは、前記対の側壁の各々１つに連結されている、請求項１５に記載の電気コネクタ。
【請求項１８】
前記アイレット要素の各々１つは、上下方向に沿って見た場合、アイレット要素の厚さを有し、前記リブ要素の各々１つは、前記上下方向に沿って見た場合、リブ要素の厚さを有する、請求項１７に記載の電気コネクタ。
【請求項１９】
前記アイレット要素の厚さおよび前記リブ要素の厚さは、互いに等しいか、または、前記アイレット要素の厚さが前記リブ要素の厚さよりも厚いかのいずれかである、請求項１８に記載の電気コネクタ。
【請求項２０】
前記アイレット要素の各々１つは、前記アイレット要素を介して前記上下方向に延びるアイレット穴を有する、請求項１５に記載の電気コネクタ。
【請求項２１】
前記前方面に隣接し、かつ前記前方面から後退して配置される前記第１および第２のリブ部材のうちの残りの１つは、第１部分のリブ要素および第２部分のリブ要素を有し、前記アイレット要素は、前記第１部分のリブ要素と前記第２部分のリブ要素との間に配置され、かつそれらに一体的に連結される、請求項１５に記載の電気コネクタ。
【請求項２２】
前記第１部分のリブ要素は前記前方面に隣接して配置され、前記第２部分のリブ要素は前記後方面に隣接して配置され、前記第１部分のリブ要素は、前記第２部分のリブ要素よりも短い、請求項２１に記載の電気コネクタ。
【請求項２３】
前記第１および第２のリブ要素の各々１つは、共通のリブ部材平面において配置された平底リブ部材表面を有し、前記共通のリブ部材平面は、前記上側壁平面と前記底側壁平面との間に延び、かつそれらと平行して延びる、請求項１５に記載の電気コネクタ。
【請求項２４】
前記共通のリブ部材平面は、前記上側壁平面よりも、前記底側壁平面に対してより接近して配置される、請求項２３に記載の電気コネクタ。
【請求項２５】
前記筐体の外側に配置される対の蓋支持部材をさらに備え、前記対の蓋支持部材の各々１つは、前記前後方向に延び、かつ前記対の側壁の各々１つから離れる前記左右方向に突出するようにして、前記対の側壁の各々１つに連結される、請求項１５に記載の電気コネクタ。
【請求項２６】
前記対の蓋支持部材の各々１つは、前記前方表面と前記後方表面とから延び、かつそれらの間に延びる、請求項２５に記載の電気コネクタ。
【請求項２７】
前記対の蓋支持部材の各々１つは、共通の蓋支持部材平面に配置された平底蓋支持部材表面を有し、前記共通の蓋支持部材平面は、前記上側壁平面と前記底側壁平面との間に延び、かつそれらと平行して延びる、請求項２６に記載の電気コネクタ。
【請求項２８】
前記共通の蓋支持部材平面は、前記底側壁平面よりも、前記上側壁平面に対してより接近して配置される、請求項２７に記載の電気コネクタ。
【請求項２９】
前記筐体および前記端子アセンブリは、一体的な構造物として共に連結される、請求項１５に記載の電気コネクタ。
【発明の詳細な説明】
【技術分野】
【０００１】
本発明は、電気コネクタおよび電気コネクタ筐体に関する。より詳細には、本発明は、電気コネクタおよび電気コネクタ筐体に関し、電気コネクタおよび電気コネクタ筐体の各々は、それらに連結され、かつそれらの前方面と後方面へと延びかつその間に延びる第１のリブ部材および第２のリブ部材を有する。
【背景技術】
【０００２】
多くの異なるタイプの電気コネクタが当該技術分野において公知である。１つのこのような電気コネクタは、同軸の電気ケーブルをプリント回路基板に接続するための直角型のヘッダとして、特許文献１に記載されている。この直角型のヘッダは、型で成形された熱可塑性の密閉型の絶縁体、１つ以上の直角型の導電性金属製の電気信号接触ピン、および型で成形された可塑性の覆いを含む。型で成形された熱可塑性の密閉型の絶縁体は、むら無く均一に並べられた配置において、１つ以上の直角型の導電性金属製の電気信号接触ピンを囲み、かつ保持する。信号接触ピンの各々は、絶縁体および別個の導電性金属シェルにより囲まれている。各々の信号接触ピンは、各々の導電性金属シェルに取り付けられている。型で成形された熱可塑性の覆いは、それらの面から延びる接触ピンを有さない、直角型のヘッダの全ての面を覆い、かつ直角型のヘッダを単一となる全体へと接合する。
【０００３】
このタイプの直角型のヘッダに付随する欠点は、プリント回路基板等の支持表面にそれをしっかりと装着することが困難なことである。また、このタイプの直角型のヘッダは薄型で支持表面に装着することを容易にしない。さらに、直角型のヘッダはそれが装着される支持表面を保護しない。
【先行技術文献】
【特許文献】
【０００４】
【特許文献１】米国特許第４，９１４，０６２号明細書
【発明の概要】
【発明が解決しようとする課題】
【０００５】
支持表面にしっかりと装着可能である電気コネクタを提供することは有利である。また、支持表面に薄型で装着することを容易にする電気コネクタを提供することは有利である。さらに、それに装着される支持表面を保護する電気コネクタを提供することもまた有利である。本発明はこれらの利点を提供する。
【課題を解決するための手段】
【０００６】
本発明の電気コネクタは、端子アセンブリ、筐体本体、第１のリブ部材、および第２のリブ部材を備える。端子アセンブリは、端子搭載ブロックおよび端子搭載ブロックに搭載される少なくとも１つの端子を備える。筐体本体は端子アセンブリを取り囲み、かつ端子搭載ブロックに連結される。筐体本体および筐体本体に連結された端子搭載ブロックは空洞を規定し、少なくとも１つの端子が端子搭載ブロックから空洞に突出する。筐体本体は、前後方向および左右方向に延びて上側壁平面を規定する上側壁と、前後方向および左右方向に延び、上側壁平面に平行して延びる底側壁平面を規定する底側壁と、前後方向および上下方向に延びる対の側壁とを有する。対の側壁は、互いに離れて配置され、かつ上側壁および底側壁を相互接続して前方面と、前方面と対向する後方面とを形成する。空洞は、前方面から後方面に向かって、筐体本体内へと前後方向に延びる。
【０００７】
第１および第２のリブ部材の各々１つは、筐体本体の外側で、対の側壁の各々１つに連結され、かつ前後方向に延びる。第１および第２のリブ部材は上側壁平面と底側壁平面との間に配置されている。
【０００８】
本発明の電気コネクタ筐体は、上述の筐体本体、第１のリブ部材、および第２のリブ部材を備える。
【０００９】
本発明は、添付の図面を参照して、本発明の例示的な実施形態の詳細な記載の観点からより良く理解される。
【図面の簡単な説明】
【００１０】
【図１】図１は、本発明の電気コネクタの第１の例示的な実施形態の斜視図であり、端子アセンブリおよび電気筐体本体は互いに距離を置いて離されている。
【図２】図２は、図１の電気コネクタの第１の例示的な実施形態の斜視図であり、端子アセンブリおよび電気筐体本体は互いに接続されている。
【図３】図３は、図１の線３−３−３−３に沿ってとられた電気コネクタの第１の実施形態の断面図である。
【図４】図４は、図２の線４−４−４−４に沿ってとられた電気コネクタの第１の実施形態の断面図である。
【図５】図５は、電気コネクタの第１の実施形態の正面図である。
【図６】図６は、電気コネクタの第１の実施形態の上面図である。
【図７】図７は、電気コネクタの第１の実施形態の右側面図である。
【図８】図８は、本発明の電気コネクタの第２の例示的な実施形態の斜視図であり、端子アセンブリおよび電気筐体本体は互いに一体的に連結されている。
【図９】図９は、電気コネクタの第２の実施形態の正面図である。
【図１０】図１０は、電気コネクタの第２の実施形態の上面図である。
【図１１】図１１は、電気コネクタの第２の実施形態の左側面図である。
【図１２】図１２は、電気コネクタの第２の実施形態の右側面図である。
【図１３】図１３は、図８〜図１２に示した対の電気コネクタを支持表面上で互いに並置させた上面図である。
【図１４】図１４は、支持表面と蓋との間に配置された、本発明の電気コネクタの第３の例示的な実施形態の斜視図である。
【図１５】図１５は、支持表面によって受け取られる電気コネクタの第３の例示的な実施形態の斜視図であり、蓋は電気コネクタの上方に配置されている。
【図１６】図１６は、支持表面によって受け取られる電気コネクタの第３の例示的な実施形態の正面図であり、蓋は電気コネクタの上に配置されている。
【図１７】図１７は、図１６の電気コネクタの第３の例示的な実施形態の拡大正面図である。
【発明を実施するための形態】
【００１１】
以下、本発明の実施形態を添付の図面を参照して記載する。本発明の個々の実施形態に共通する構造の構成要素は、同じ記号により示し、繰返しとなる記載は省略する。さらに、当業者は、例えば「上側」、「底側」、「前側」、「後側」等の記述的および方向的な用語は、本発明の理解を容易にするためのみに本明細書において用いられ、本発明を限定するものとして解釈されるべきではないことを理解する。当業者は、例えば「第１」、「第２」等の非記述的および／または非方向的な用語を、本明細書において用いられる記述的、方向的な用語のかわりに代用してもよい。
【００１２】
電気コネクタ１０の第１の例示的な実施形態を図１〜図７に示す。電気コネクタ１０は、端子アセンブリ１２、筐体本体１４、第１のリブ部材１６、および第２のリブ部材１８を備える。端子アセンブリ１２は、端子搭載ブロック２０および複数の電気端子２２を備える。しかしながら、当業者は、端子搭載ブロック２０はその中に装着される少なくとも１つの端子２２を有することを理解する。さらに、当業者は、端子アセンブリ１２は例示としてのみ、限定としてではなく、示されており、任意のタイプの端子アセンブリであってよいことを理解する。
【００１３】
図１および図２に最良に示すように、筐体本体は、前後方向ＬＤを規定する前後方向軸Ｌ、左右方向ＲＤを規定する左右方向軸Ｒ、および上下方向ＴＤを規定する上下方向軸Ｔに沿って、かつそれらの周囲に延びる。前後方向軸Ｌ、左右方向軸Ｒ、および上下方向軸Ｔは、交点ＰＯＩにおいて互いに直角に交差し、従来のデカルト座標系を形成することに留意されたい。図１〜図７を参照すると、筐体本体１４は、前後方向ＬＤおよび左右方向ＲＤに延びて上側壁平面ＰＴＷを規定する上側壁１４ａ、前後方向ＬＤおよび左右方向ＲＤに延びて、上側壁平面ＰＴＷと平行して延びる底側壁平面ＰＢＷを規定する底側壁１４ｂ、ならびに、前後方向ＬＤおよび上下方向ＴＤに延びる対の側壁１４ｃを有する。対の側壁１４ｃは、互いに離れて配置され、上側壁１４ａおよび底側壁１４ｂをそれぞれ相互接続し、前方面１４ｆと、前方面１４ｆと対向して配置された後方面１４ｒと、通路２４とを形成する。図１および図３に最良に示すように、通路２４は、前方面１４ｆと後方面１４ｒとの間で筐体本体１４を介した前後方向ＬＤに延びている。
【００１４】
続いて図３および図４に示すように、端子アセンブリ１２は、筐体本体１４の通路２４に挿入される。ここで筐体本体１４は端子アセンブリ１２を囲む。筐体本体１４と端子搭載ブロック２０とは、例えば接着剤２６により共に連結される。しかしながら、当業者は、筐体本体１４および端子搭載ブロック２０は、例えば機械的な締め具またはレーザ溶接による任意の従来の方法において共に連結可能であることを理解する。筐体本体１４および端子搭載ブロック２０はここで共に連結されて、図２および図４において最良に示すように空洞２４ａを規定する。図４に最良に示すように、複数の端子２２が、端子搭載ブロック２０から空洞２４ａに突出する。
【００１５】
図１、図２、図５、および図６に最良に示すように、第１のリブ部材１６および第２のリブ部材１８の各々１つは、筐体本体１４の外部で、対の側壁１４ｃの各々１つと連結されている。通常、第１のリブ部材１６および第２のリブ部材１８は、各々、前後方向ＬＤに延び、図１、図２、および図５に示すように、上側壁平面ＰＴＷと底側壁平面ＰＢＷとの間に配置される。
【００１６】
図１、図２、および図６に最良に示すように、第１のリブ部材１６は、第１のリブ要素１６ａおよび第１のアイレット要素１６ｂを備え、第２のリブ部材１８は、第２のリブ要素１８ａおよび第２のアイレット要素１８ｂを備える。第１のリブ要素１６ａおよび第１のアイレット要素１６ｂは共に一体的に連結され、第２のリブ要素１８ａおよび第２のアイレット要素１８ｂは共に一体的に連結される。限定する目的のためはないが、第１のリブ要素１６ａおよび第２のリブ要素１８ａの両方は、図５に示す正面図において見えるように、方形の形状を有するバーである。
【００１７】
図６を参照すると、第１のアイレット要素１６ｂは、Ｕ字状の第１のアイレット部分１６ｂ１およびそのＵ字状の第１のアイレット部分１６ｂ１と一体的に連結されたボックス状の第１のアイレット部分１６ｂ２を有する。第２のアイレット要素１８ｂは、Ｕ字状の第２のアイレット部分１８ｂ１およびそのＵ字状の第２のアイレット部分１８ｂ１と一体的に連結されたボックス状の第２のアイレット部分１８ｂ２を有する。ボックス状の第１および第２のアイレット部分１６ｂ１および１８ｂ１の各々１つは、対の側壁１４ｃの各々１つと連結されている。
【００１８】
図７を参照すると、例示により、第２のアイレット要素１８ｂは、上下方向ＴＤに沿って見ると、アイレット要素の厚さｔｅｅを有し、第２のリブ要素１８ａは、上下方向ＴＤに沿って見ると、リブ要素の厚さｔｒｅを有する。本発明の電気コネクタ１０の第１の例示的な実施形態について、アイレット要素の厚さｔｅｅおよびリブ要素の厚さｔｒｅは同じである。さらに、当業者は、第１のアイレット要素１６ｂはまた、第２のアイレット要素の厚さ、すなわちｔｅｅと同じであるアイレット要素の厚さを有し、従って、第１のリブ要素１６ａは、第２のリブ要素の厚さ、すなわちｔｒｅと同じであるリブ要素の厚さを有することを理解する。さらに、本発明の電気コネクタ１０の第１の例示的な実施形態について、アイレット要素の厚さｔｅｅおよびリブ要素の厚さｔｒｅは互いに等しい。
【００１９】
図５〜図７を参照すると、第１および第２のアイレット要素１６ｂおよび１８ｂの各々１つはアイレット穴２８を有する。図５および図７に示すように、アイレット穴２８は、第１および第２のアイレット要素１６ｂおよび１８ｂの各々１つを介して上下方向ＴＤに延びている。
【００２０】
再び、本発明の電気コネクタ１０の第１の例示的な実施形態について、第１および第２のリブ要素１６ａおよび１８ａの各々１つは、図６に示すように、前方面１４ｆの位置にある開始位置ＣＰにおいて始まり、後方面１４ｒに向かって延び、各々第１および第２のアイレット要素１６ｂおよび１８ｂにおいて終端する。図５および図７に最良に示すように、第１および第２のリブ要素１６および１８の各々１つは、平底のリブ要素面１６ｃおよび１８ｃを有する。図２および図５を参照すると、平底のリブ要素面１６ｃおよび１８ｃは、共通のリブ部材平面ＰＣＲＭに配置されている。共通のリブ部材平面ＰＣＲＭは、図２および図５に示すように、上側壁平面ＰＴＷと底側壁平面ＰＢＷとの間に延び、かつそれらと平行して延びている。さらに、共通のリブ部材平面ＰＣＲＭは、上側壁平面ＰＴＷよりも、底側壁平面ＰＢＷに対してより接近して配置されていることに留意されたい。すなわち、共通のリブ部材平面ＰＣＲＭは、底側壁平面ＰＢＷに対して第１の距離ｄ１で配置され、この距離ｄ１は、図５に示すように、共通のリブ部材平面ＰＣＲＭから上側壁平面ＰＴＷまでの第２の距離ｄ２よりも短い。
【００２１】
本発明の電気コネクタ２１０の第２の例示的な実施形態を図８〜図１３に示す。本発明の電気コネクタ２１０の第２の例示的な実施形態は、以下で記載することを除いて、上述で記載した電気コネクタ１０の第１の例示的な実施形態に類似する。
【００２２】
本発明の電気コネクタ２１０の第２の例示的な実施形態については、第１の実施形態について上述されたように、接着剤によって２つの別々の構成要素、すなわち端子アセンブリ１２および筐体本体１４を共に連結するのではなく、当業者は、電気コネクタ２１０の第２の例示的な実施形態は、端子搭載ブロック２０と筐体本体１４とが単一の射出成形工程において、端子２２周囲に形成されるという点で、１つの一体的な構造物であり得ることを理解する。このように、本発明の電気コネクタ２１０の第２の例示的な実施形態については、筐体本体１４および端子アセンブリ１２は、一体的な構造物として互いに連結されている。
【００２３】
図８〜図１２に示すように、第１のリブ部材２１６および第２のリブ部材２１８は互いに異なる。図１１および図１２に最良に示すように、アイレット要素の厚さｔｅｅおよびリブ要素の厚さｔｒｅは、アイレット要素の厚さｔｅｅがリブ要素の厚さｔｒｅよりも厚いという点で互いに異なる。また、図１０〜図１３に示すように、第１および第２のリブ要素２１６ａおよび２１８ａの各々１つは、前方面１４ｆから距離ｄｓｂだけ後退した開始位置ＣＰ（図１０）において開始する。第１および第２のリブ要素２１６ａおよび２１８ａは、後方面１４ｒに向かって延び、第１および第２のアイレット要素２１６ｂおよび２１８ｂの各々１つにおいて終端する。
【００２４】
例示としてのみ、限定としてではなく、第２のリブ部材２１８の第２のアイレット要素２１８ｂは、後方面に隣接して配置され、かつ、図１０および図１２に示す、距離ｄｓｅｅだけ、後方面から後退している。図１０および図１１において、第１のリブ部材２１６の第１のアイレット要素２１６ｂは、前方面１４ｆに隣接して配置され、かつ、距離ｄｆｅｅだけ、前方面１４ｆから後退している。第２のリブ部材２１８の第２のアイレット要素２１８ｂは、第１のアイレット要素２１６ｂよりも、後方面１４ｒに接近して配置され、第１のアイレット要素２１６ｂは、第２のアイレット要素２１８ｂよりも前方面１４ｆに接近して配置される。このように、図１０および図１３に示すように、第１のアイレット要素２１６ｂは、中央に配置された左右方向軸Ｒの前方側にほぼ配置され、第２のアイレット要素２１８ｂは、中央に配置された左右方向軸Ｒの後方側に配置される。第１および第２のアイレット要素２１６ｂおよび２１８ｂのこのオフセットされた配置構成により、上述の電気コネクタ１０の第１の実施形態等の略対称的な配置構成と比べて、支持表面３０に装着した場合に、本発明の２つの電気コネクタ２１０が並置されたものを、図１３に示すように、互いにより接近して配置することが可能である。
【００２５】
また、図１０および図１１に最良に示すように、前方面１４ｆに隣接して配置され、前方面１４ｆから後退している第１のリブ部材２１６は、第１部分のリブ要素２１６ａ１および第２部分のリブ要素２１６ａ２を有する。アイレット要素２１６ｂは、第１部分のリブ要素２１６ａ１と第２部分のリブ要素２１６ａ２との間に配置され、かつそれらに一体的に連結されていることに留意されたい。第１部分のリブ要素２１６ａ１は前方面１４ｆに隣接して配置され、第２部分のリブ要素２１６ａ２は後方面１４ｒに隣接して配置される。さらに、図１０および図１１に示すように、第１部分のリブ要素２１６ａ１は、第２部分のリブ要素２１６ａ２よりも短い。
【００２６】
本発明の電気コネクタ３１０の第３の例示的な実施形態を図１４〜図１７に示す。本発明の電気コネクタ３１０の第３の例示的な実施形態は、以下で記載することを除いて、本発明の電気コネクタ２１０の第２の例示的な実施形態に類似する。
【００２７】
電気コネクタ３１０は、図１４〜図１７に示すように、対の蓋支持部材３３２を備える。蓋支持部材３３２は、筐体本体１４の外側に配置される。特に、対の蓋支持部材３３２の各々１つは、対の側壁１４ｃの各々１つに連結されている。対の蓋支持部材３３２の各々１つは、前後方向ＬＤに延び、対の側壁１４ｃの各々１つから離れる左右方向ＲＤに突出している。さらに、対の蓋支持部材３３２の各々１つは、前方面１４ｆと後方面１４ｒとから延び、かつそれらの間に延びている。図１６および図１７に最良に示すように、対の蓋支持部材の各々１つは、共通の蓋支持部材平面ＰＣＬＳに配置された平底蓋支持部材表面３３２ａを有する。共通の蓋支持部材平面ＰＣＬＳは、上側壁平面ＰＴＷと底側壁平面ＰＢＷとの間に延び、かつそれらと平行して延びている。図１６に最良に示すように、共通の蓋支持部材平面ＰＣＬＳは、底側壁平面ＰＢＷよりも、上側壁平面ＰＴＷに対してより接近して配置されている。さらに、図１６に示すように、共通の蓋支持部材平面ＰＣＬＳは、共通のリブ部材平面ＰＣＲＭと上側壁平面ＰＴＷとの間に配置され、かつそれらと平行して延びている。
【００２８】
図１４に示すように、電気コネクタ３１０は、支持表面３０と蓋３４との間の一部の部分に穴が開けられたスペース（ｓｐａｃｅ  ｔｙｐｅｄ  ｏｎ  ａ  ｐａｒｔ  ｍａｔｔｅｒ）に配置される。プリント回路基板であってよい支持表面３０は、基板を介して形成された穴３０ａおよび複数の端子受容穴３０ｂを有する。穴３０ａは電気コネクタ３１０を受け取るようにサイズが調整されており、複数の端子受容穴３０ｂは、電気コネクタ３１０から外側に突出し、かつ離れる方向に突出する複数の端子２２の各々１つを受け取るようにサイズが調整されている。図１５において、電気コネクタ３１０は、支持表面３０の穴３０ａ内に受け取られ、第１および第２のリブ部材１６および１８は支持表面３０上にある。第１および第２のリブ部材１６および１８が支持表面３０上にあるので、電気コネクタ３１０はその上で安定しており、それによって、締め具３６が締め具用の穴３０ｃを介して支持表面３０に固定する前に、電気コネクタ３１０が、傾いたり回転したりすることを防ぐ。また、電気コネクタ３１０が穴３０ａ内に配置されているので、電気コネクタ３１０が支持表面３０の底から突出しているゆえに、最小のパッケージングのスペースしか必要としない。
【００２９】
図１６において、蓋３４は電気コネクタ３１０上に配置され、対の蓋支持部材３３２上にある。図１７において、僅かな間隙Ｇが、蓋３４と、適切な側壁１４ｃとの間に存在することに留意されたい。例えば、少量の液体、例えば水などが誤って蓋３４および電気コネクタ３１０に接触してしまう場合、間隙Ｇは、毛管現象を介して、液体が、蓋支持部材３３２の下にしみ出ることを防ぐことができる。
【００３０】
当業者は、その電気コネクタまたは電気コネクタ筐体は、第１および第２のリブ部材により、プリント回路基板等の支持表面にしっかりと装着可能であることを理解する。さらに、当業者は、その電気コネクタおよび電気コネクタ筐体が、支持表面に対して薄型で装着されることを容易とすることを理解する。その電気コネクタおよび電気コネクタ筐体が、それらが支持表面上に装着された場合に、支持表面を保護することもまた理解される。
【００３１】
しかしながら、本発明は、異なる様々な形態において具現化されてよく、本明細書中で説明された例示的な実施形態に限定されるものとして解釈されるべきではなく、むしろ、これらの例示的な実施形態は、本開示が、完全かつ十全であり、当業者に対して本発明の範囲を十分に伝えるように提供されている。
【図１】
0005095880.tif 000002
【図２】
0005095880.tif 000003
【図３】
0005095880.tif 000004
【図４】
0005095880.tif 000005
【図５】
0005095880.tif 000006
【図６】
0005095880.tif 000007
【図７】
0005095880.tif 000008
【図８】
0005095880.tif 000009
【図９】
0005095880.tif 000010
【図１０】
0005095880.tif 000011
【図１１】
0005095880.tif 000012
【図１２】
0005095880.tif 000013
【図１３】
0005095880.tif 000014
【図１４】
0005095880.tif 000015
【図１５】
0005095880.tif 000016
【図１６】
0005095880.tif 000017
【図１７】
0005095880.tif 000018